(57)【要約】      （修正有）【課題】表示ユニットの設定を、簡易に行うことができる電子機器を提供する。【解決手段】電子機器Ｓは、筐体１と、筐体１に固定されており、かつ複数の設定スイッチが設けられている表示ユニット２と、を有し、筐体１の上面又は側面には、複数の設定スイッチの位置に対応する位置に、複数の設定スイッチを操作するための複数の穴１６１が形成されており、複数の穴１６１には、複数のねじ３が取り外し可能に取り付けられている。【選択図】図１
2019033138.tif 000002
【特許請求の範囲】
【請求項１】
筐体と、
前記筐体に固定されており、かつ複数の設定スイッチが設けられている表示ユニットと、
を有し、
前記筐体の上面又は側面には、前記複数の設定スイッチの位置に対応する位置に、前記複数の設定スイッチを操作するための複数の穴が形成されており、
前記複数の穴には、複数のねじが取り外し可能に取り付けられていることを特徴とする電子機器。
【請求項２】
前記筐体は、
前記筐体の上面を形成する天板と、
前記表示ユニットを固定するフレームと、
を有し、
前記複数の穴は、前記フレームに形成されていることを特徴とする、
請求項１に記載の電子機器。
【請求項３】
前記複数の穴は、前記天板又は前記フレームにおける前記複数の設定スイッチの上方に設けられていることを特徴とする、
請求項２に記載の電子機器。
【請求項４】
前記複数の穴の縁は、円錐状に傾斜しており、
前記複数の穴にねじ込まれた前記ねじの頭部の外側面は、前記上面の外側面、前記側面の外側面、又は前記フレームの外側面と同じ位置、又は前記上面の外側面、前記側面の外側面、又は前記フレームの外側面よりも内側に位置することを特徴とする、
請求項１から３のいずれか一項に記載の電子機器。
【発明の詳細な説明】
【技術分野】
【０００１】
本発明は、電子機器に関する。
【背景技術】
【０００２】
従来、表示ユニットが組み込まれている電子機器が用いられている。特許文献１には、ラックに組み込み型の電子機器が組み込まれている構造が開示されている。
【先行技術文献】
【特許文献】
【０００３】
【特許文献１】特開２００２−１９８６６９号公報
【発明の概要】
【発明が解決しようとする課題】
【０００４】
従来、電子機器に表示ユニットが組み込まれている構造があった。この場合、組み込み型の表示ユニットに設けられている設定スイッチが電子機器の内側に位置してしまう場合がある。このため、表示ユニットの設定を行う場合、電子機器のカバーを取り外し、電子機器を分解して表示ユニットを取り出して表示ユニットの設定を行う必要があるという問題が生じていた。
【０００５】
そこで、本発明はこれらの点に鑑みてなされたものであり、電子機器に設けられている表示ユニットの設定を簡易に行うことができる電子機器を提供することを目的とする。
【課題を解決するための手段】
【０００６】
本発明の第１の態様においては、筐体と、前記筐体に固定されており、かつ複数の設定スイッチが設けられている表示ユニットと、を有し、前記筐体の上面又は側面には、前記複数の設定スイッチの位置に対応する位置に、前記複数の設定スイッチを操作するための複数の穴が形成されており、前記複数の穴には、複数のねじが取り外し可能に取り付けられていることを特徴とする電子機器を提供する。
【０００７】
また、前記筐体は、前記筐体の上面を形成する天板と、前記表示ユニットを固定するフレームと、を有し、前記複数の穴は、前記フレームに形成されていてもよい。また、前記複数の穴は、前記天板又は前記フレームにおける前記複数の設定スイッチの上方に設けられていてもよい。また、前記複数の穴の縁は、円錐状に傾斜しており、前記複数の穴にねじ込まれた前記ねじの頭部の外側面は、前記上面の外側面、前記側面の外側面、又は前記フレームの外側面と同じ位置、又は前記上面の外側面、前記側面の外側面、又は前記フレームの外側面よりも内側に位置していてもよい。
【発明の効果】
【０００８】
本発明によれば、電子機器に設けられている表示ユニットの設定を簡易に行うことができるという効果を奏する。
【図面の簡単な説明】
【０００９】
【図１】本実施形態に係る電子機器の構成を示す。
【図２】表示ユニットの複数の設定スイッチ付近の構成を示す。
【図３】複数の穴付近の構成を示す。
【図４】複数の穴にねじが取り付けられた状態の構成を示す。
【図５】穴の拡大図である。
【発明を実施するための形態】
【００１０】
＜本実施形態＞
［電子機器Ｓの概要］
図１は、本実施形態に係る電子機器Ｓの構成を示す図である。図２は、表示ユニット２の複数の設定スイッチ２３付近の構成を示す図である。図３は、複数の穴１６１付近の構成を示す図である。図４は、複数の穴１６１にねじ３が取り付けられた状態の構成を示す図である。図５は、穴１６１の拡大図である。図５（ａ）は、穴１６１を上方から見たときの構成の拡大図である。図５（ｂ）は、図５（ａ）で示す穴１６１のＸ−Ｘ線断面図である。
【００１１】
電子機器Ｓは、例えば衛星基地局装置用のパソコン機能付きモデムである。電子機器Ｓは、筐体１、表示ユニット２、及びねじ３を有する。
【００１２】
筐体１は、前面板１１、後面板１２、右側面板１３、左側面板１４、天板１５、及びフレーム１６を有する。前面板１１は、筐体１の前面を形成する板である。後面板１２は、筐体１の後面を形成する板である。後面板１２は、前面板１１と平行である。右側面板１３は、筐体１の右側面を形成する板である。右側面板１３は、前面板１１及び後面板１２と直交している。左側面板１４は、筐体１の左側面を形成する板である。左側面板１４は、前面板１１及び後面板１２と直交している。
【００１３】
天板１５は、筐体１の上面を形成する板である。天板１５は、前面板１１、後面板１２、右側面板１３、及び左側面板１４の上端に、前面板１１、後面板１２、右側面板１３、及び左側面板１４と直交して設けられている。
【００１４】
天板１５は、筐体１の上面を形成する板である。天板１５は、前面板１１、後面板１２、右側面板１３、及び左側面板１４の上端に、前面板１１、後面板１２、右側面板１３、及び左側面板１４と直交して設けられている。
【００１５】
フレーム１６は、表示ユニット２が固定されている部材である。フレーム１６は、筐体１の上面における幅方向において延伸している。具体的には、フレーム１６は、右側面板１３の上端における前端付近と、左側面板１４の上端における前端付近との間に設けられている。フレーム１６には、複数の穴１６１が形成されている。複数の穴１６１の詳細は後述する。
【００１６】
表示ユニット２は、情報を表示する機能を有する。表示ユニット２は、筐体１に固定されている。具体的には、表示ユニット２は、筐体１のフレーム１６に固定されている。図１及び図２に示すように、表示ユニット２は、液晶ディスプレイ（ＬＣＤ）２１、制御基板２２、及び複数の設定スイッチ２３を有する。液晶ディスプレイ２１は、情報を表示する機能を有する。液晶ディスプレイ２１は、筐体１の前方において筐体１から露出しており、ユーザは電子機器Ｓの前方から液晶ディスプレイ２１を視認することができる。
【００１７】
制御基板２２は、液晶ディスプレイ２１を制御する機能を有する。制御基板２２は、液晶ディスプレイ２１の後面に設けられており、筐体１の内側に位置する。複数の設定スイッチ２３は、例えば、液晶ディスプレイ２１の明るさ、色温度、コントラスト、言語等の設定を行うためのスイッチである。複数の設定スイッチ２３は、制御基板２２の上端付近に設けられており、制御基板２２の幅方向において並んで配置されている。複数の設定スイッチ２３は、例えばタクトスイッチであり、押圧部を押圧している間だけオンとなり、タクトスイッチに設けられている端子間に電流が流れる。複数の設定スイッチ２３の押圧部の上面は、電子機器Ｓの高さ方向における上方を向いている。
【００１８】
［穴１６１付近の詳細］
複数の穴１６１は、フレーム１６の長手方向において１列に並んで配置されている。複数の穴１６１は、複数の設定スイッチ２３の位置に対応する位置に形成されている。具体的には、複数の穴１６１は、電子機器Ｓの高さ方向において、複数の設定スイッチ２３の上方に設けられている。
【００１９】
よって、ユーザは、複数の穴１６１から複数の穴１６１の内径よりも小さい外径を有する棒を挿入して、複数の設定スイッチ２３を上方から押圧することで、液晶ディスプレイ２１の各種の設定を行うことができる。
【００２０】
また、複数の穴１６１には、複数のねじ３が取り外し可能に取り付けられている。具体的には、穴１６１の内側面には、ねじ溝が切られており、穴１６１には、ねじ３が螺合可能である。よって、ユーザは、表示ユニット２の設定操作をするときは、ねじ３をフレーム１６から取り外すことで、穴１６１を露出させる。一方、ユーザは、表示ユニット２の設定操作をする必要がないときは、ねじ３を穴に１６１に螺合させてフレーム１６に取り付けておくことで、穴１６１を覆うことができる。
【００２１】
この結果、電子機器Ｓは、表示ユニット２に設定操作をする必要がないときは、穴１６１をねじ３で覆うことができるので、穴１６１から筐体１の内側にごみが入り込み、筐体１の内側に設けられている電子部品等が故障することを防ぐことができる。
【００２２】
また、図５（ａ）及び図５（ｂ）に示すように、穴１６１は、皿モミが行われており、穴１６１の縁は、円錐状に傾斜している。穴１６１がこのような形状を有することで、穴１６１にねじ込まれたねじ３の頭部の外側面は、フレーム１６の外側面と同じ位置、又はフレーム１６の外側面よりも内側に位置する。具体的には、穴１６１にねじ込まれたねじ３の頭部の上端は、電子機器Ｓの高さ方向において、フレーム１６の上端面と同じ位置、又はフレーム１６の上端面よりも下方に位置する。電子機器Ｓは、穴１６１がこのように穴１６１の縁が円錐状に傾斜している形状を有することで、ねじ３の頭部の外側面がフレーム１６の外側面から外側に飛び出すことを防ぐことができる。
【００２３】
なお、上記実施形態では、電子機器Ｓは、フレーム１６を有し、フレーム１６には、複数の穴１６１が形成されており、複数の穴１６１が表示ユニット２の複数の設定スイッチ２３の上方に設けられているとしたが、複数の穴１６１が形成されているのは、フレーム１６だけに限定されない。例えば、天板１５には、複数の穴が形成されており、当該複数の穴が表示ユニット２の複数の設定スイッチ２３の上方に設けられていてもよい。または、例えば表示ユニット２の複数の設定スイッチ２３の押圧面が筐体１の側面、例えば右側面板１３又は左側面板１４に向いており、当該側面に複数の設定スイッチ２３を操作するための複数の穴が設けられていてもよい。
【００２４】
また、上記実施形態では、表示ユニット２は、フレーム１６に固定されているとしたが、これに限定されない。表示ユニット２は、例えば天板１５、右側面板１３、又は左側面板１４に固定されていてもよい。
【００２５】
［本実施形態に係る電子機器Ｓによる効果］
本実施形態に係る電子機器Ｓは、筐体１と、筐体１に固定されており、かつ複数の設定スイッチ２３が設けられている表示ユニット２と、を有する。そして、筐体１の上面には、複数の設定スイッチ２３の位置に対応する位置に、複数の設定スイッチ２３を操作するための複数の穴１６１が形成されており、複数の穴１６１には、複数のねじ３が取り外し可能に取り付けられている。
【００２６】
本実施形態に係る電子機器Ｓは、このように筐体１の上面に、複数の設定スイッチ２３の位置に対応する位置に、複数の設定スイッチ２３を操作するための複数の穴１６１が形成されており、複数の穴１６１には、複数のねじ３が取り外し可能に取り付けられている。よって、電子機器Ｓは、電子機器Ｓの天板１５を取り外したりせずに、例えば細い棒をフレーム１６の複数の穴１６１に挿入して複数の設定スイッチ２３を押すことで、複数の設定スイッチ２３を操作することができる。この結果、電子機器Ｓは、電子機器Ｓに設けられている表示ユニット２の設定を簡易に行うことができる。
【００２７】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００２８】
Ｓ・・・電子機器
１・・・筐体
１１・・・前面板
１２・・・後面板
１３・・・右側面板
１４・・・左側面板
１５・・・天板
１６・・・フレーム
１６１・・・穴
２・・・表示ユニット
２１・・・液晶ディスプレイ（ＬＣＤ）
２２・・・制御基板
２３・・・設定スイッチ
３・・・ねじ
【図１】
2019033138.tif 000003
【図２】
2019033138.tif 000004
【図３】
2019033138.tif 000005
【図４】
2019033138.tif 000006
【図５】
2019033138.tif 000007